(57)【要約】【課題】エアゾール式製品のマウンティングカップ側に取り付けられる再利用可能な肩カバー構造について、製作工程の手間を省き、取り付け操作の簡単化を図る。【解決手段】肩カバー（下肩カバー６＋上肩カバー７）を、マウンティングカップ２に対して着脱可能な環状基部５に取り付けるようにした。環状基部５は、マウンティングカップ２のアンダーカット２ａと嵌合する外向き凸状部５ｄと、肩カバーの下動操作を許容する縦通路域５ｇと、下動操作に続く単なる回動操作後の肩カバーを係合保持する周方向凸部５ｆと、を備え、肩カバーは、下動操作のとき縦通路域５ｇを上下方向に通過し、かつ、回動操作後に上面部分が周方向凸部５ｆの下面部分に当接してその位置状態に設定される縦方向凸板状部６ｃを備える。外向き凸状部５ｄは、肩カバーが環状基部５にセットされることにより、自弾性に抗する形で、それまでの緩嵌合状態から強嵌合状態にシフトする。【選択図】図１
2018203294.tif 000002
【特許請求の範囲】
【請求項１】
エアゾール式製品のマウンティングカップに対して着脱可能な環状基部に肩カバーが取り付けられ、内容物消尽後の容器本体廃棄などの時には前記肩カバーが前記環状基部から取り外されて再利用されるエアゾール式製品の肩カバー構造において、
前記環状基部は、
前記マウンティングカップとの嵌合作用部と、
前記肩カバーの下動操作を許容する通路域と、
前記下動操作に続く単なる回動操作後の前記肩カバーを係合保持する係合保持部と、
を備え、
前記肩カバーは、
前記通路域を上下方向に通過し、かつ、前記回動操作後に前記係合保持部と協働してその位置状態に設定される被係合保持部を備えている、
ことを特徴とするエアゾール式製品の肩カバー構造。
【請求項２】
前記通路域は、
前記環状基部の内周面に飛び飛びに形成された周方向凸部の隣同士の間に生じる空間域であり、
前記係合保持部は、
前記周方向凸部であり、
前記被係合保持部は、
前記肩カバーに形成された上下方向の凸板状部であり、
前記下動操作および前記回動操作の後における前記凸板状部の上面部分が前記周方向凸部の下面部分に当接して保持される、
ことを特徴とする請求項１記載のエアゾール式製品の肩カバー構造。
【請求項３】
前記マウンティングカップとの嵌合作用部は、
前記肩カバーが前記環状基部にセットされることにより、自弾性に抗する形で、それまでの緩嵌合状態から強嵌合状態にシフトする、
ことを特徴とする請求項１または２記載のエアゾール式製品の肩カバー構造。
【請求項４】
請求項１乃至３のいずれかに記載の肩カバー構造を備え、かつ、容器本体に噴射用ガスおよび内容物を収容した、
ことを特徴とするエアゾール式製品。
【発明の詳細な説明】
【技術分野】
【０００１】
本発明は、エアゾール式製品のマウンティングカップ側に取り付けられて装飾作用を呈し、内容物消尽後の容器本体廃棄などの時にはマウンティングカップ側から簡単に取り外されて再利用可能な肩カバー構造に関する。
【０００２】
特にマウンティングカップに嵌合して筒状の肩カバーの着脱対象となる環状基部を設け、肩カバーおよび環状基部の対応周面部分に、肩カバーなどの環状基部に対する下動操作およびこれに続く単なる回動操作によって設定される係合保持部を、備えたものである。「単なる回動操作」とは螺合動作をともなわない回動操作のことである。この下動および回動の各操作を必要に応じて「下動操作」および「回動操作」という。
【０００３】
ここで環状基部とマウンティングカップとが、その初期セットの状態では緩く嵌合しておき、肩カバーなどの下動操作で強く嵌合することが望ましい。
【０００４】
以下、必要に応じて、
環状基部およびマウンティングカップが緩く嵌合しただけで環状基部には肩カバーが取り付けられていない状態（図１参照）を「初期セット」といい、
肩カバーなどの下動操作後の、環状基部およびマウンティングカップが強く嵌合した状態（図３，図４参照）を「中間セット」といい、
肩カバーなどの下動・回動操作後の、環状基部に肩カバーが最終的に取り付けられた状態（図５，図６参照）を「最終セット」という。
【０００５】
また、この下動操作によってマウンティングカップに環状基部が強く嵌合した状態でのその後の肩カバーなどに対する回動操作も、環状基部に肩カバーを螺合させる場合とは違って、短い回動ストロークで済むことが望ましい。
【０００６】
本願発明は、このような下動操作にともなうマウンティングカップおよび環状基部の強嵌合化や、回動操作での回動ストロークの短縮化などといった各要請に応える再利用可能な肩カバー構造を対象としている。
【背景技術】
【０００７】
従来、肩カバー着脱対象の環状基部とマウンティングカップとの係合態様を、初期セットの環状基部に対する肩カバー回動操作で環状基部下端側をマウンティングカップのアンダーカットの方に変形させて、強嵌合状態に設定する肩カバー構造が提案されている（特許文献１参照）。
【０００８】
ここでは、環状基部および肩カバーの対向周面のそれぞれに結合用のネジ部が形成され、初期セットの環状基部に肩カバーをいれて回動操作する。
【０００９】
この回動操作にともない、肩カバーが、環状基部との螺合状態で下動して環状基部下端側部分をマウンティングカップのアンダーカットの方に変形させ、このアンダーカットと環状基部との強嵌合状態を設定する。
【００１０】
このように特許文献１の肩カバー構造は、マウンティングカップのアンダーカットに軽く係合した状態の環状基部に肩カバーを螺合させる態様になっている。
【００１１】
この環状基部および肩カバーの螺合作用により、アンダーカットと環状基部とが強嵌合状態に設定され、肩カバーは環状基部に確実に取り付けられる。
【先行技術文献】
【特許文献】
【００１２】
【特許文献１】特開２００８−２４７４７０号公報
【発明の概要】
【発明が解決しようとする課題】
【００１３】
先行する前記肩カバー構造は、マウンティングカップと緩嵌合状態の環状基部に肩カバーを双方の螺合状態にて下動させることにより、この緩嵌合状態が強嵌合へと変化し、かつ肩カバーが環状基部にネジ結合により取り付けられる。
【００１４】
ここでは環状基部と肩カバーとのいわば螺合移動作用により、マウンティングカップと環状基部との最終セットでの強嵌合化を図り、肩カバーの環状基部への取付けの確実化を図っている。
【００１５】
そのため、協働するネジ作用部分を環状基部および肩カバーそれぞれに形成しなければならず、これら構成要素の製作に手間がかかるという問題点があった。
【００１６】
また、肩カバーを環状基部に取り付ける際の螺合操作は肩カバーの回動操作そのものであり、肩カバーを取り付けるための回動操作範囲も長めに設定せざるを得ず、肩カバー取付け操作がそれを周方向に複数回にわたって回すなど煩雑になるという問題点があった。
【００１７】
そこで本発明では、肩カバーを環状基部に取り付けるときの螺合操作を捨象して、例えば肩カバーに縦方向凸板状部を設け、環状基部にはこの凸板状部が通過する縦通路域および下方へ通過して周方向回動後の凸板状部天面を係合保持する周方向凸部を設けている。
【００１８】
すなわち、肩カバーを環状基部に取り付けるときは、先ず肩カバーをその凸板状部が環状基部の縦通路域を通過する形で下動させてから周方向に例えば２２度ほど回動する。この回動後の凸板状部天面が環状基部の周方向凸部の下面部分に係合して、肩カバーは環状基部に最終セットされる。
【００１９】
なお、この肩カバーの下動操作にともない環状基部の下端側部分がマウンティングカップのアンダーカットと強く嵌合するので、その後の肩カバーなどの環状基部に対しての回動操作のときにこの環状基部が供回りすることはない。
【００２０】
この最終セットにともないマウンティングカップのアンダーカットと環状基部との強嵌合状態が保持され、また、環状基部の強嵌合部分における弾性力の内側上方への反作用により肩カバーの前記凸板状部天面が環状基部の前記下面部分に確実に係合する。
【００２１】
本発明は、このようなエアゾール式製品の肩カバー構造の採用により、
(11)環状基部および肩カバーのそれぞれにネジ作用部分を形成するといった製作工程の手間を省き、
(12)肩カバーを環状基部に取り付ける際の操作の簡単化を図る、すなわち肩カバーに対する、その下端側が環状基部の所定部分を通過する下動操作と、これに続いて前記下端側を環状基部に係合させるためのわずか（例えば２２度ほど）な回動操作とでまかなう、
ことなどを目的とする。
【課題を解決するための手段】
【００２２】
本発明は、以上の課題を次のようにして解決する。
（１）エアゾール式製品のマウンティングカップ（例えば後述のマウンティングカップ２，アンダーカット２ａ）に対して着脱可能な環状基部（例えば後述の環状基部５）に肩カバー（例えば後述の下肩カバー６，上肩カバー７）が取り付けられ、内容物消尽後の容器本体廃棄などの時には前記肩カバーが前記環状基部から取り外されて再利用されるエアゾール式製品の肩カバー構造において、
前記環状基部は、
前記マウンティングカップとの嵌合作用部（例えば後述の外向き凸状部５ｄ）と、
前記肩カバーの下動操作を許容する通路域（例えば後述の縦通路域５ｇ）と、
前記下動操作に続く単なる回動操作後の前記肩カバーを係合保持する係合保持部（例えば後述の周方向凸部５ｆ）と、
を備え、
前記肩カバーは、
前記通路域を上下方向に通過し、かつ、前記回動操作後に前記係合保持部と協働してその位置状態に設定される被係合保持部（例えば後述の縦方向凸板状部６ｃ）を備えた、
構成態様のものを用いる。
（２）上記（１）において、
前記通路域は、
前記環状基部の内周面に飛び飛びに形成された周方向凸部の隣同士の間に生じる空間域であり、
前記係合保持部は、
前記周方向凸部であり、
前記被係合保持部は、
前記肩カバーに形成された上下方向の凸板状部であり、
前記下動操作および前記回動操作の後における前記凸板状部の上面部分が前記周方向凸部の下面部分に当接して保持される、
構成態様のものを用いる。
（３）上記（１），（２）において、
前記マウンティングカップとの嵌合作用部は、
前記肩カバーが前記環状基部にセットされることにより、自弾性に抗する形で、それまでの緩嵌合状態から強嵌合状態にシフトする、
構成態様のものを用いる。
【００２３】
このような構成からなる肩カバー構造およびこれを用いたエアゾール式製品を本発明の対象としている。
【発明の効果】
【００２４】
本発明は、以上の構成をとることにより、
(21)環状基部および肩カバーにネジ作用部分を形成する工程の省略化を図り、
(22)肩カバーを環状基部に取り付ける操作の簡単化を図る、すなわち肩カバーに対する、その下端側が環状基部の所定部分を通過する下動操作と、これに続いて前記下端側を環状基部に係合させるためのわずかな単なる回動操作といった形の、肩カバー取付け操作全体の簡単化を図る、
ことができる。
【図面の簡単な説明】
【００２５】
【図１】マウンティングカップ２に取り付けられた環状基部５などと、これにまだ取り付けられていない肩カバーユニット９（下肩カバー６＋上肩カバー７＋噴射ボタン８）とを示す説明図である。
【図２】マウンティングカップ２，環状基部５および肩カバーユニット９などの個々の実施形態要素の斜視関連構成を示す説明図である。
【図３】図１の肩カバーユニット９を下動させて環状基部５に設定した中間セットの状態を示す説明図である。
【図４】図３の中間セットにおける下方向のＡ−Ａ′線横断面であって、下肩カバー６の四個の縦方向凸板状部６ｃそれぞれが環状基部５の縦通路域５ｇを下動しきった状態を示す説明図である。
【図５】図３の中間セットの肩カバーユニット９を平面視時計方向（矢印周回方向）に略２２度回動させた最終セットの状態を示す説明図である。
【図６】図５の最終セットにおける下方向のＢ−Ｂ′線横断面であって、四個の縦方向凸板状部６ｃの天面段部６ｄそれぞれの平面視時計方向の前半部分が、環状基部５の縦通路域５ｇの隣の周方向凸部５ｆの下面に係合保持された状態を示す説明図である。
【発明を実施するための形態】
【００２６】
図１乃至図６を用いて本発明を実施するための形態を説明する。
【００２７】
なお、以下のアルファベット付き参照番号の構成要素（例えばアンダーカット２ａ）は原則として、当該参照番号の数字部分の構成要素（例えばマウンティングカップ２）の一部であることを示している。
【００２８】
図１〜図６において、
１は後述の内容物および噴射用ガスを収納したエアゾール式製品の周知の容器本体，
１ａは容器本体１の胴体上端縁部分に形成された巻締め部分，
２は容器本体１の巻締め部分１ａに取り付けられた周知のマウンティングカップ，
２ａはマウンティングカップ２の上端内側部分に形成された環状のアンダーカット，
３はマウンティングカップ２の中央部分に係合保持され、噴射対象内容物の貯留域および通路域などとして作動する周知のハウジング，
４はその下側部分がハウジング３の内部空間域に収容され、上端側部分がマウンティングカップ２の中央開口部から上方に設定されて、内容物噴射操作により周知のバルブ作用を呈するステム，
をそれぞれ示している。
【００２９】
また、
５はマウンティングカップ２のアンダーカット２ａに緩く係合した状態で後述の下肩カバー６が下方へ押し込まれることにより、前記アンダーカットへ強く嵌合した状態にシフトする肩カバー着脱用で筒状の環状基部，
５ａはマウンティングカップ２の上端曲面に当接保持される外環状部，
５ｂは外環状部５ａの内側周方向に形成されてアンダーカット２ａに嵌合保持される計四個の内環状片部，
５ｃは隣同士の内環状片部５ｂの間に設定された縦切欠状部，
５ｄは内環状片部５ｂそれぞれの下端外周面部分の周方向に形成されたアンダーカット嵌合用の外向き凸状部（嵌合作用部），
５ｅは外環状部５ａおよび内環状片部５ｂの上端部分の間に連続形成された環状天面，
５ｆは縦切欠状部５ｃの上端からその周方向両側に、環状天面５ｅから内側への連続態様により成されて、その下面（底面）部分が、後述の天面段部６ｄを最終セットの下肩カバー取付け状態に係合保持する例えば内向きで計四個の周方向凸部（係合保持部），
５ｇは隣同士の周方向凸部５ｆの間に設定され、後述の肩カバーユニット９を環状基部５に取り付ける際に後述の縦方向凸板状部６ｃの上下移動用の通路として作用する例えば計四個の縦通路域（空間域），
をそれぞれ示している。
【００３０】
また、
６は周方向へ回動可能な形で環状基部５に保持され、かつ、後述の上肩カバー７を嵌合保持して後述の噴射ボタン８の下側部分を収容保持する下肩カバー，
６ａは下肩カバー６の外下側部分を構成する下開口の外側環凹状部，
６ｂは外側環凹状部６ａの内上端部分からの連続態様で形成されて下肩カバー６の内上側部分を構成する上開口環凹状部，
６ｃは外側環凹状部６ａの内側内周面に周方向円弧面からなる態様で形成された縦方向凸板状部（被係合保持部），
６ｄは縦方向凸板状部６ｃの天面部分であって下肩カバー６の環状基部５への取付けの際に周方向凸部５ｆの下面部分に係合保持される計四個の天面段部，
６ｅは上開口環凹状部６ｂを構成する外側起立筒状部，
６ｆは外側起立筒状部６ｅの外周面上端側に形成されて後述の周方向突状部７ｄと嵌合する環溝状部，
をそれぞれ示している。
【００３１】
また、
７は下肩カバー６に嵌合保持された上肩カバー，
７ａは下肩カバー６と嵌合した状態で露出する環状外周面，
７ｂは同じく露出して環状外周面７ａの上端側から内方に連続形成された環状天板部，
７ｃは環状天板部７ｂの下面内端側に形成されて外側起立筒状部６ｅと嵌合する下開口の内側環凹状部，
７ｄは内側環凹状部７ｃの外方内周面に周方向飛び飛びの態様で形成されて環溝状部６ｆと嵌合する周方向突状部，
７ｅは内側環凹状部７ｃを構成する内側垂下筒状部，
をそれぞれ示している。
【００３２】
また、
８はステム４に取り付けられて、容器本体１およびハウジング３から外部空間域へと連通する通路域を備え、かつ、前記ステムへの取付け前は下肩カバー６および上肩カバー７とのユニット状態に設定された押下げ形式の噴射ボタン，
８ａはステム４の通路空間域と連通する内容物通路部，
８ｂは内容物通路部８ａの下流端に形成された内容物噴射用の孔部，
８ｃは押下げ対象の操作天面，
８ｄは噴射ボタン８の外周面部分を構成する外側垂下筒状部，
８ｅは外側垂下筒状部８ｄの下端側外周面に形成されて、噴射ボタン８が下肩カバー６の上開口環凹状部６ｂなどから抜けるのを阻止するための下端環状段部，
９は下肩カバー６，上肩カバー７および噴射ボタン８の三部材を組み込んでいわば一体化し、この状態でステム４および環状基部５に着脱可能な形で取り付けられる肩カバーユニット（図１参照），
Ｃは周方向凸部５ｆの下面に係合保持された四個の天面段部６ｄそれぞれの被係合保持範囲（図６参照），
をそれぞれ示している。
【００３３】
ここで、環状基部５，下肩カバー６，上肩カバー７および噴射ボタン８は例えばポリプロピレン，ポリエチレン，ポリアセタール，ナイロン，ポリブチレンテレフタレートなどからなるプラスチック製のものである。
【００３４】
また、容器本体１，ハウジング３およびステム４は例えばプラスチック製，金属製のものである。マウンティングカップ２は例えば金属性のものである。
【００３５】
プラスチック製の環状基部５，下肩カバー６，上肩カバー７および噴射ボタン８はそれぞれ部分的に弾性変形可能である。
【００３６】
なお、環状基部５の計四個の内環状片部５ｂは、それぞれの外向き凸状部５ｄからなる下端側部分が径方向への弾性変形作用を有している。
【００３７】
図示のエアゾール式製品の肩カバー構造の基本的特徴は、
(31)下肩カバー６，上肩カバー７および噴射ボタン８の三部材を組み込んでいわば一体化した肩カバーユニット９（図１参照）が、ステム４および環状基部５に着脱可能な形で取り付けられ、
(32)肩カバーユニット９の環状基部５への取付け前のとき、内環状片部５ｂの外向き凸状部５ｄがマウンティングカップ２のアンダーカット２ａに緩く嵌合した初期セットに設定され、
(33)中間セット（図３，図４参照）の設定に際して、下肩カバー６をその縦方向凸板状部６ｃが環状基部５の縦通路域５ｇを通過する周方向位置態様に設定し、
(34)図３，図４の中間セットでは、アンダーカット２ａおよび外向き凸状部５ｄが内環状片部５ｂの径方向弾性力に抗する形の強い嵌合状態に設定され、
(35)中間セットの肩カバー（下肩カバー６＋上肩カバー７）を図５の平面視時計方向に例えば略２２度回動操作することにより、縦方向凸板状部６ｃの天面段部６ｄが周方向凸部５ｆの下面部分に当接して係合保持された最終セットの状態に移行し(図５，図６参照)、
(36)図５，図６の最終セットでは、中間セットと同様の前記(34)の強い嵌合作用に加え、内環状片部５ｂの内側への弾性反作用に基づき縦方向凸板状部６ｃも上動傾向となってその天面段部６ｄと周方向凸部５ｆの下面との係合保持作用が生じ、
(37)容器本体１の内容物の消尽後などに肩カバーユニット９を環状基部５から取り外すときは、肩カバー（下肩カバー６＋上肩カバー７）を前記(35)とは逆の周方向に略２２度回動操作してから縦方向凸板状部６ｃが縦通路域５ｇを通る形で上方に移動させる、
ことなどである。
【００３８】
図１は、マウンティングカップ２に取り付けられた環状基部５と、これにまだ取り付けられていない肩カバーユニット９とを個々に示す説明図である。
【００３９】
図１のように肩カバーユニット９が環状基部５に取り付けられていないとき、内環状片部５ｂの外向き凸状部５ｄはマウンティングカップ２のアンダーカット２ａに緩く嵌合している。
【００４０】
ここで、環状基部５は、その四個の内環状片部５ｂそれぞれの下端側を内方に弾性変形させながらアンダーカット２ａへ入れ込むことにより、マウンティングカップ２に取り付けられている。
【００４１】
この取付け状態では、環状基部５の、内環状片部５ｂそれぞれの外向き凸状部５ｄがマウンティングカップ２のアンダーカット２ａに緩く嵌合し、外環状部５ａが前記マウンティングカップの上端外面部分に係合している。
【００４２】
この緩嵌合状態で下肩カバー６（肩カバーユニット９）を環状基部５にその上方から入れるとき、前記下肩カバーの縦方向凸板状部６ｃが内環状片部５ｂの内側周面部分に当接してこれを外方に押す。内環状片部５ｂが外方に押されることにより、外向き凸状部５ｄはアンダーカット２ａとの強嵌合状態に移行する。
【００４３】
なお、肩カバーユニット９は、
(41)下肩カバー６の外側起立筒状部６ｅを上肩カバー７の内側環凹状部７ｃに、その周方向突状部７ｄが外側に弾性変形する態様で入れ込み、
(42)さらには下肩カバー６の上開口環凹状部６ｂに噴射ボタン８の外側垂下筒状部８ｄを、その下端環状段部８ｅが内側に弾性変形する態様で入れ込む、
ことによりユニット化される。
【００４４】
この肩カバーユニット９の噴射ボタン８は、図１の正立状態でその外側垂下筒状部８ｄの下端面部分が下肩カバー６の上開口環凹状部６ｂに当接している。上下を逆にした倒立状態では噴射ボタン８の下端環状段部８ｅが上肩カバー７の内側垂下筒状部７ｅの端面に当接する。いずれの場合も噴射ボタン８が肩カバーユニット９から抜けるようなことはない。
【００４５】
図３は、図１の肩カバーユニット９を下動させて環状基部５に設定した中間セットの状態を示している。
【００４６】
この中間セットの設定操作は、肩カバーユニット９を環状基部５に対し、その縦通路域５ｇそれぞれの真上に下肩カバー６の縦方向凸板状部６ｃを位置させた上で、前記下肩カバーをその前記縦方向凸板状部が前記縦通路域を通過するように下動させる操作となる。
【００４７】
このとき、アンダーカット２ａおよび外向き凸状部５ｄは、前記(34)のように内環状片部５ｂの径方向弾性力に抗する形の強い嵌合状態に設定されており、肩カバーユニット９への下動操作を止めるとこの弾性力の反作用で下肩カバー６が少し上動する。
【００４８】
図３のアンダーカット２ａおよび外向き凸状部５ｄの強嵌合状態（中間セット）に設定されたとき、図４の横断面で示すように、下肩カバー６の四個の縦方向凸板状部６ｃそれぞれが環状基部５の縦通路域５ｇに位置する平面視状態になっている。なお、図３の中間セットに対応した図４の横断面は、下肩カバー６が下動しきった状態を示している。
【００４９】
図５および図６は、図３の中間セットに続いて肩カバーユニット９を平面視時計方向（図５の矢印方向）に略２２度回動させた最終セットの状態を示している。
【００５０】
この肩カバーユニット９の単なる回動操作のとき環状基部５と供回りすることはない。それは先行の下動操作により環状基部５の外向き凸状部５ｄがすでにマウンティングカップ２のアンダーカットに強く嵌合しているからである。
【００５１】
この最終セットでは、下肩カバー６の天面段部６ｄそれぞれの略周方向半分が環状基部５の対応する周方向凸部５ｆの下面部分に当接している。
【００５２】
天面段部６ｄとその上の周方向凸部５ｆとは、双方の摩擦係合作用や、下肩カバー６の前記上動作用により十分な当接状態に設定されるので、この当接部分が不用意に回動して図３の最終セットの状態が解除されることはない。
【００５３】
図５の最終セットに設定されたとき、図６の横断面で示すように、下肩カバー６の天面段部６ｄそれぞれの平面視時計方向（図５の矢印回動方向）の前半部分が、周方向凸部５ｆの下面に係合保持された状態になっている。すなわち、四個の天面段部６ｄそれぞれの被係合保持範囲Ｃは図示の交差ハッチング部分である。
【００５４】
容器本体１の内容物を消尽したときなどに肩カバーユニット９を環状基部５から取り外す場合は、下肩カバー６およびこれと一体の上肩カバー７を容器本体１に対して図５の矢印方向とは逆（図６の反時計方向）に略２２度回動操作する。または下肩カバー６および上肩カバー７を図５の矢印方向（図６の時計方向）に７０度ほど回動操作する。
【００５５】
この肩カバーユニット９の取外し回動操作は相対的なもので、容器本体１を、下肩カバー６および上肩カバー７の上記回動方向とは逆方向に回動操作してもよい。また、下肩カバー６および上肩カバー７と、容器本体１とをそれぞれ上述した方向に同時回動操作してもよい。
【００５６】
このような回動操作にともない、それまで環状基部５の周方向凸部５ｆの下面に係合保持されていた下肩カバー６の天面段部６ｄ（縦方向凸板状部６ｃ）が、平面視で縦通路域５ｇに位置する状態へ設定される。
【００５７】
この下肩カバー６の縦方向凸板状部６ｃが環状基部５の縦通路域５ｇの位置に復帰した肩カバーユニット９（図３照）は、そのユニット状態のままマウンティングカップ２や前記環状基部から上方へ簡単に取り出される。
【００５８】
下肩カバー６が環状基部５から取り外されることにより、それまで縦方向凸板状部６ｃから外方に押されていた内環状片部５ｂの下側部分（外向き凸状部５ｄなど）は自弾性作用に基づいて内側に変位する。
【００５９】
この内環状片部５ｂの内側変位によって、上述したように、外向き凸状部５ｄとマウンティングカップ２のアンダーカット２ａとは緩い嵌合状態へと変化する。
【００６０】
この緩嵌合状態へのシフトにより、環状基部５をマウンティングカップ２から取り外すことが簡単化される。
【００６１】
また、図３の中間セットに続いて肩カバーユニット９を平面視反時計方向（図５の矢印方向とは逆）に略２２度回動させた最終セットの状態にしてもよい。
【００６２】
容器本体１，マウンティングカップ２，ハウジング３およびステム４のいわば容器側ユニットから取り外された肩カバーユニット９や環状基部５などは、それぞれ新たな容器側ユニットに再利用可能である。
【００６３】
本発明のエアゾール式製品の肩カバー構造が図示の実施形態に限定されるものでないことは勿論であり例えば、
(51)図示の上下動タイプの噴射ボタン８に代えて回動などの各種タイプの噴射ボタンを用いる、
(52)肩カバー構造の協働関係にたつ対応構成要素の凹凸関係（例えば環溝状部６ｆおよび周方向突状部７ｄ）を逆にする、
(53)環状基部５をマウンティングカップ２の外側端部（巻締め部分１ａの端部側のアンダーカット）に外嵌合させる、
(54)周方向凸部５ｆの一方の周方向端部の下面部分に縦方向凸板状部６ｃの進入を阻止する凸部を設けて、着脱のための回動操作を平面視時計方向または反時計方向のいずれかに限定する、
(55)周方向凸部５ｆの周方向中央部の下面部分に縦方向凸板状部６ｃの通過を阻止する凸部を設けて、中間セットの状態から回動操作するときに最終セットの状態を通過して中間セットの状態まで回動しないようにする、
(56)内環状片部５ｂの内側周方向端部に斜面（面取り）または曲面（角丸め）を設けて縦方向凸板状部６ｃの通過を容易にする、
ようにしてもよい。
【００６４】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６５】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７０】
高分子化合物としては、メチルセルロース，ゼラチン，デンプン，カゼイン，ヒドロキシエチルセルロース，キサンタンガム，カルボキシビニルポリマーなどを用いる。
【００７１】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７２】
さらに、上記内容物以外の、懸濁剤，紫外線吸収剤，乳化剤，保湿剤，酸化防止剤、金属イオン封鎖剤なども用いることができる。
【００７３】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００７４】
１：容器本体
１ａ：巻締め部分
２：マウンティングカップ
２ａ：環状のアンダーカット
３：ハウジング
４：ステム
【００７５】
５：肩カバー着脱用で筒状の環状基部
５ａ：外環状部
５ｂ：内環状片部
５ｃ：縦切欠状部
５ｄ：アンダーカット嵌合用の外向き凸状部
５ｅ：環状天面
５ｆ：計四個の周方向凸部
５ｇ：計四個の縦通路域
【００７６】
６：下肩カバー
６ａ：下開口の外側環凹状部
６ｂ：上開口環凹状部
６ｃ：縦方向凸板状部
６ｄ：計四個の天面段部
６ｅ：外側起立筒状部
６ｆ：環溝状部
【００７７】
７：上肩カバー
７ａ：環状外周面
７ｂ：環状天板部
７ｃ：下開口の内側環凹状部
７ｄ：周方向突状部
７ｅ：内側垂下筒状部
【００７８】
８：噴射ボタン
８ａ：内容物通路部
８ｂ：内容物噴射用の孔部
８ｃ：操作天面
８ｄ：外側垂下筒状部
８ｅ：下端環状段部
９：肩カバーユニット（図１参照）
Ｃ：被係合保持範囲（図６参照）
【図１】
2018203294.tif 000003
【図２】
2018203294.tif 000004
【図３】
2018203294.tif 000005
【図４】
2018203294.tif 000006
【図５】
2018203294.tif 000007
【図６】
2018203294.tif 000008